(57)【要約】【課題】上下羽根がリセット用突起に接触しても異常音、こすれ傷が発生し難い空気調和機を提供する。【解決手段】本体１１の前面に設けられた前面枠７と、熱交換された空気を吹き出す吹き出し口１０と、吹き出し口１０に設けられ吹き出し風の上下方向の向きを変える上下羽根（図示せず）と、前面枠７に設けられたネジ取付部２に着脱自在に取り付けられると共にネジ取付部２を目隠しする目隠し蓋３を備え、目隠し蓋３を前面枠７と異なる樹脂材で形成すると共に、目隠し蓋３に上下羽根の位置決めをするためのリセット用突起８を設けたもので、上下羽根のリセット時に、前面枠７と同材質の上下羽根がリセット用突起８に接触しても、材質が異なるため、異常音や、こすれ傷の発生を防止することが出来る。【選択図】図１
2009281656.tif 000002
【特許請求の範囲】
【請求項１】
本体の前面に設けられた前面枠と、熱交換された空気を吹き出す吹き出し口と、前記吹き出し口に設けられ吹き出し風の上下方向の向きを変える上下羽根と、前記前面枠に設けられたネジ取付部に着脱自在に取り付けられると共に前記ネジ取付部を目隠しする目隠し蓋を備え、前記目隠し蓋を前記前面枠と異なる樹脂材料で形成すると共に、前記目隠し蓋に前記上下羽根の位置決めをするためのリセット用突起を設けた空気調和機。
【請求項２】
リセット用突起に、つまみやすいように溝を形成した請求項１に記載の空気調和機。
【発明の詳細な説明】
【技術分野】
【０００１】
本発明は、空気調和機に関するもので、特に、前面枠に設けたネジ取付け部を目隠しする目隠し蓋に関するものである。
【背景技術】
【０００２】
従来の空気調和機について図面を参照しながら説明する。図３は、従来の空気調和機の斜視図、図４は、同空気調和機のネジ取付部の詳細斜視図、図５は、同空気調和機の目隠し蓋を取り付ける前のネジ取付部を示す図、図６は、同空気調和機の下部断面図である。
【０００３】
図３〜６において、従来の空気調和機の本体１１の前面には、前面枠７が取り付けられ、その前面枠７の下部の前面枠下部１には、熱交換された室内の空気が吹き出される吹き出し口１０が形成され、その吹き出し口１０には、前面枠７と同一樹脂材料から成ると共に吹き出し風の上下方向の風向を変える上下羽根５が設けられている。前面枠下部１に設けられた数ヶ所のネジ取付部２には、弾力性を有する樹脂材料からなる目隠し蓋３を取付けてネジ４を隠していた。
【０００４】
６は、上下羽根５が設定の位置に止まるようにするためのリセット用突起で、前面枠７に設けられ、運転開始時に、上下羽根５の先端がリセット用突起６に一度接触し回転するようになっている。また、運転停止時は、所定の位置に来て止まるようにリセット用突起６に当ててとまるように設定している（例えば、特許文献１参照）。
【特許文献１】特開２０００−１９３２６７号公報
【発明の開示】
【発明が解決しようとする課題】
【０００５】
しかしながら、前記従来の空気調和機の構成では、前面枠７に設けたリッセット用突起６と上下羽根５の樹脂材料が同じであることが多く、そのため上下羽根５とリセット用突起６が接触した際に、異常音が発生すると共に、同材質の接触によるこすれ傷が発生するという課題を有していた。
【０００６】
本発明は、前記従来の課題を解決するもので、上下羽根がリセット用突起に接触したときに、異常音、こすれ傷を防ぐことが出来る空気調和機を提供することを目的とする。
【課題を解決するための手段】
【０００７】
前記従来の課題を解決するために、本発明の空気調和機は、本体の前面に設けられた前面枠と、熱交換された空気を吹き出す吹き出し口と、前記吹き出し口に設けられ吹き出し風の上下方向の向きを変える上下羽根と、前記前面枠に設けられたネジ取付部に着脱自在に取り付けられると共に前記ネジ取付部を目隠しする目隠し蓋を備え、前記目隠し蓋を前記前面枠と異なる樹脂材料で形成すると共に、前記目隠し蓋に前記上下羽根の位置決めをするためのリセット用突起を設けたもので、上下羽根のリセット時に、前面枠と同材質の上下羽根がリセット用突起に接触しても、材質が異なるため、異常音や、こすれ傷の発生を防止することが出来る。
【発明の効果】
【０００８】
本発明の空気調和機は、上下羽根とリセット用突起が接触した際に発生していた異常音、こすれ傷を防止することが出来る。
【発明を実施するための最良の形態】
【０００９】
第１の発明は、本体の前面に設けられた前面枠と、熱交換された空気を吹き出す吹き出し口と、前記吹き出し口に設けられ吹き出し風の上下方向の向きを変える上下羽根と、前記前面枠に設けられたネジ取付部に着脱自在に取り付けられると共に前記ネジ取付部を目隠しする目隠し蓋を備え、前記目隠し蓋を前記前面枠と異なる樹脂材料で形成すると共に、前記目隠し蓋に前記上下羽根の位置決めをするためのリセット用突起を設けたもので、上下羽根のリセット時に、前面枠と同材質の上下羽根がリセット用突起に接触しても、材質が異なるため、異常音や、こすれ傷の発生を防止することが出来る。
【００１０】
第２の発明は、特に、第１の発明のリセット用突起に、つまみやすいように溝を形成したもので、リセット用突起がつまみやすいので、目隠し蓋の着脱が容易になる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の前面枠下部の詳細斜視図、図２は、同空気調和機の目隠し蓋の斜視図である。尚、上記従来の空気調和機と同一部分については、同一符号を付して、その詳細説明を省略する。
【００１３】
本実施の形態は、図１及び２に示すように、従来前面枠下部１に設けられていたリセット用突起６と同形状のリセット用突起８を蓋３に一体に形成し、この突起８を、上下羽根５をリセットするために用いると共に、従来前面枠下部１に設けていたリセット用突起６を廃止し、更に、リセット用突起８を前面枠７とは異なる弾力性を有する樹脂材料で成型したもので、他の構成は、上記従来の空気調和機と同一である。
【００１４】
以上のように構成された本実施の形態における空気調和機のネジ取付部目隠し蓋によれば、上下羽根５がリセット状態になったとき、上下羽根５の先端は、前面枠７とは違う弾力性を有する樹脂材料で構成された蓋３のリセット用突起８に接触するため、異常音、こすれ傷の発生が無くなる。また蓋３に形成したリセット用突起８は、蓋３の脱着時のつまみも兼ねられるので、本実施の形態では、そのリセット用突起８に溝９を形成しており、これにより蓋３の脱着性の向上を図ることが出来る。
【産業上の利用可能性】
【００１５】
以上のように、本発明の空気調和機は、目隠し蓋でネジ取付け部を隠すだけでなく、異常音、こすれ傷を防止することが出来るもので、各種空気調和機に適用可能である。
【図面の簡単な説明】
【００１６】
【図１】本発明の実施の形態１における空気調和機の前面枠下部の詳細斜視図
【図２】同空気調和機の目隠し蓋の斜視図
【図３】従来の空気調和機の斜視図
【図４】同空気調和機のネジ取付部の詳細斜視図
【図５】同空気調和機の目隠し蓋を取り付ける前のネジ取付部を示す図
【図６】同空気調和機の下部断面図
【符号の説明】
【００１７】
１  前面枠下部
２  ネジ取付部
３  目隠し蓋
４  ネジ
５  上下羽根
７  前面枠
８  リセット用突起
９  溝
１０  吹き出し口
１１  本体
【図１】
2009281656.tif 000003
【図２】
2009281656.tif 000004
【図３】
2009281656.tif 000005
【図４】
2009281656.tif 000006
【図５】
2009281656.tif 000007
【図６】
2009281656.tif 000008